(57)【要約】  チューナ機能部が形成されたチューナモジュール基板が収納されるケース体と、前記ケース体に固定され、中心電極の端子部が前記チューナモジュール基板に接続される少なくとも１つのアンテナコネクタとを有し、前記ケース体は、螺合部材が挿入される孔部が形成された板状部を有し、前記孔部の周縁部に複数の突部が離隔して設けられているチューナモジュールである。図５
2018163588.tif 000002
【特許請求の範囲】
【請求項１】
チューナ機能部が形成されたチューナモジュール基板が収納されるケース体と、
前記ケース体に固定され、中心電極の端子部が前記チューナモジュール基板に接続される少なくとも１つのアンテナコネクタと
を有し、
前記ケース体は、螺合部材が挿入される孔部が形成された板状部を有し、
前記孔部の周縁部に複数の突部が離隔して設けられている
チューナモジュール。
【請求項２】
前記螺合部材により、前記ケース体が受信装置の金属シャーシに取り付けられるように構成される
請求項１に記載のチューナモジュール。
【請求項３】
前記複数の突部が円周状または矩形状に設けられている
請求項１に記載のチューナモジュール。
【請求項４】
５つの前記突部が円周状に設けられている
請求項３に記載のチューナモジュール。
【請求項５】
前記ケース体は、上面部、底面部及び第１〜第４の側部を有する
請求項１に記載のチューナモジュール。
【請求項６】
前記第１の側部に前記アンテナコネクタが接続され、
前記第１の側部とは反対側の第３の側部側から、前記ケース体の外部に向かう方向に前記板状部が延在する
請求項５に記載のチューナモジュール。
【請求項７】
前記ケース体の内側に前記板状部が設けられている
請求項５の記載のチューナモジュール。
【請求項８】
前記チューナモジュール基板の端子部が前記第２の側部側から前記ケース体の外側に向かって露出する
請求項５に記載のチューナモジュール。
【請求項９】
前記ケース体は、前記螺合部材と共通の螺合部材が取り付け可能とされた孔部を有する他の板状部を有する
請求項１に記載のチューナモジュール。
【請求項１０】
前記ケース体に接続される前記アンテナコネクタの数が１〜３のいずれかである
請求項１に記載のチューナモジュール。
【請求項１１】
前記アンテナコネクタは、筒状の外部ケースと、前記外部ケースの内部に組み込まれている筒状の第１の電極と、前記第１の電極内に配される第２の電極と、前記第２の電極を支持するとともに、前記第１の電極と前記第２の電極とを絶縁する絶縁部とを有し、
前記絶縁体は、前記外部ケースと、前記第１の電極の一端側に設けられた複数の弾性片とにより支持される
請求項１に記載のチューナモジュール。
【請求項１２】
請求項１に記載のチューナモジュールと、前記チューナモジュールが前記螺合部材により取り付けられた金属シャーシと、前記チューナモジュール基板が接続される基板とを有する受信装置。
【請求項１３】
前記金属シャーシと前記板状部とが接触する面積が、円周状に形成された突部に比べて大きくなるように前記複数の突部が形成され、且つ、前記螺合部材に含まれるワッシャー部が前記複数の突部により略水平に支持される
請求項１２に記載の受信装置。
【発明の詳細な説明】
【技術分野】
【０００１】
本開示は、チューナモジュール及び受信装置に関する。
【背景技術】
【０００２】
テレビジョン装置等に用いられるチューナモジュールとして、例えば、特許文献１に記載されたものが提案されている。特許文献１に記載のチューナモジュールは、そのピン部が回路基板の穴部に挿入された後、ピン部が回路基板に対して半田付けにより取り付けられるものである。
【先行技術文献】
【特許文献】
【０００３】
【特許文献１】特開２０１３−４２３１１号公報
【発明の概要】
【発明が解決しようとする課題】
【０００４】
特許文献１の固定方法を用いると、例えば、チューナモジュールを搭載する基板にバリエーションが生じた場合にその都度基板の設計、試作が必要になるという問題がある。また、一般に、極力簡易な設備及び方法によって、チューナモジュールの取り付けがなされることが望まれている。【０００５】
本開示は、極力簡易な設備及び方法によって基板等に取り付け可能なチューナモジュール及び受信装置を提供することを目的の一つとする。
【課題を解決するための手段】
【０００６】
本開示は、例えば、
チューナ機能部が形成されたチューナモジュール基板が収納されるケース体と、
ケース体に固定され、中心電極の端子部がチューナモジュール基板に接続される少なくとも１つのアンテナコネクタと
を有し、
ケース体は、螺合部材が挿入される孔部が形成された板状部を有し、
孔部の周縁部に複数の突部が離隔して設けられている
チューナモジュールである。【０００７】
本開示は、例えば、
上述のチューナモジュールと、チューナモジュールが螺合部材により取り付けられた金属シャーシと、チューナモジュール基板が接続される基板とを有する受信装置である。
【発明の効果】
【０００８】
本開示の少なくとも一の実施形態によれば、極力簡易な設備及び方法によって、チューナモジュールを基板や金属シャーシに確実に取り付けることができる。なお、ここに記載された効果は必ずしも限定されるものではなく、本開示中に記載されたいずれの効果であってもよい。また、例示された効果により本開示の内容が限定して解釈されるものではない。
【図面の簡単な説明】
【０００９】
【図１】図１Ａ、図１Ｂ及び図１Ｃは、受信基板に接続されたチューナモジュールを模式的に示した図である。
【図２】図２は、本開示に関連する技術を説明するための図である。
【図３】図３は、本開示の第１の実施形態に係るチューナモジュールを説明するための斜視図である。
【図４】図４Ａは、一般的なエンボス部の形状を示す図であり、図４Ｂは、一般的なエンボス部の形状により生じる事象を説明するための図である。
【図５】図５Ａは、本開示の第１の実施形態に係るエンボス部を説明するための斜視図であり、図５Ｂは、本開示の第１の実施形態に係るエンボス部を説明するための上面図である。
【図６】図６Ａは、本開示の第１の実施形態においてネジが螺合された状態を示す断面図であり、図６Ｂは、ネジが螺合された状態における力の作用を説明するための図である。
【図７】図７Ａ及び図７Ｂは、ネジを螺合する箇所がずれた状態を示す図である。
【図８】図８は、ネジを螺合する箇所がずれた場合でも突部がワッシャーを支持することを説明するための図である。
【図９】図９は、ネジを螺合する箇所がずれた場合でも突部がワッシャーを支持することを説明するための図である。
【図１０】図１０Ａ及び図１０Ｂは、第１の実施形態の変形例を説明するための図である。
【図１１】図１１Ａ及び図１１Ｂは、第１の実施形態の変形例を説明するための図である。
【図１２】図１２は、一般的なＩＥＣコネクタの構成を説明するための断面図である。
【図１３】図１３は、本開示の第２の実施形態に係るＩＥＣコネクタの構成例を説明するための断面図である。
【図１４】図１４は、本開示の第２の実施形態に係るＩＥＣコネクタの構成例を説明するための分解斜視図である。
【図１５】図１５は、本開示の第２の実施形態に係るＩＥＣコネクタの構成例を説明するための部分拡大図である。
【発明を実施するための形態】
【００１０】
以下、本開示の実施形態等について図面を参照しながら説明する。なお、説明は以下の順序で行う。
＜１．第１の実施形態＞
＜２．第２の実施形態＞
＜３．変形例＞
以下に説明する実施形態等は本開示の好適な具体例であり、本開示の内容がこれらの実施形態等に限定されるものではない。
また、以下の説明では、図示が煩雑となることを防止するために、一部の構成のみに参照符号を付す場合や、一部の構成を簡略化して示す場合もある。また、断面図において断面を示すハッチングを適宜、省略する場合もある。
【００１１】
＜１．第１の実施形態＞
「本開示に関連する技術について」
始めに、本開示の理解を容易とするために本開示に関連する技術について説明する。なお、以下の説明では、テレビジョン装置の基板（以下、受信基板と適宜、称する）に接続されるチューナモジュールを例にして説明する。
【００１２】
図１Ａ〜図１Ｃは、受信基板に接続されたチューナモジュールを模式的に示したものである。図１Ａにおけるチューナモジュール１ａは、のＤＶＢ−Ｔ（Digital Video Broadcasting-Terrestrial）２規格に対応する２回路（デュアル）のチューナモジュールである。図１Ｂにおけるチューナモジュール１ｂは、ＤＶＢ−Ｔ２規格に対応する１回路のチューナモジュールである。図１Ｃにおけるチューナモジュール１ｃは、ＤＶＢ−Ｔ規格に対応するチューナモジュールである。
【００１３】
図１Ａにおける受信基板２ａは、ＤＶＢ−Ｔ２規格に対応する放送信号を処理するための回路（２入力に対応する回路）が搭載された基板である。図１Ｂにおける受信基板２ｂは、ＤＶＢ−Ｔ２規格に対応する放送信号を処理するための回路（１入力に対応する回路）が搭載された基板である。図１Ｃにおける受信基板２ｃは、ＤＶＢ−Ｔ規格に対応する放送信号を処理するための回路が搭載された基板である。受信基板２ａ〜２ｃは、一般的に、テレビジョン装置のディスプレイの裏側に設けられている。上述したように、各受信基板に対して対応するチューナモジュールが半田付けにより取り付けられる。
【００１４】
近年の受信基板では、受信基板に搭載されているＳｏＣ(System on Chip)と呼ばれるＩＣ(Integrated Circuit)によってデジタル信号処理が行われ、受信機能の切り替えはソフトウェアによる制御によって行われる。ところで、チューナモジュールに内蔵される選局回路部分は例えば国別、地域別によって異なる周波数の割り当てに対応する目的や、１回路受信と２回路受信のように、仕様のバリエーション等で異なったモデルにならざるを得ないので、チューナモジュール別に使い分けがなされる。すなわち、同一のＳｏＣを用いた同じ回路構成ながら、搭載するチューナモジュールの種類と同じ受信基板の種類（本例では３種類）が必要になってしまう。
【００１５】
そこで、本実施形態では、以下に説明する接続方法を用いてチューナモジュールを受信基板に電気的に接続する。本実施形態における接続方法を、図２を参照して説明する。図２におけるチューナモジュール３ａは、ＤＶＢ−Ｔ２規格に対応する３回路のチューナモジュールである。チューナモジュール３ｂ、３ｃは、ＤＶＢ−Ｔ２規格に対応する１回路のチューナモジュールである。但し、チューナモジュール３ｂ、３ｃは、それぞれのバージョンの番号が異なるものであり、同一の外形でありながら内部の構成が異なるものである。チューナモジュール３ｄは、ＤＶＢ−Ｔに対応する１回路のチューナモジュールである。
【００１６】
チューナモジュール３ａは、金属製のケース体４ａを有している。ケース体４ａの内部には、チューナ機能部が形成されたチューナモジュール基板が収納されている。ケース体４ａの外部には、チューナモジュール基板の端子部５ａが露出している。また、ケース体４ａの端部（例えば、端子部５ａが露出する箇所の近傍の箇所）には、ネジ止め部６ａが設けられている。同様に、チューナモジュール３ｂは、ケース体４ｂを有している。ケース体４ｂの外部には、チューナモジュール基板の端子部５ｂが露出しており、ケース体４ｂの端部には、ネジ止め部６ｂが設けられている。チューナモジュール３ｃは、ケース体４ｃを有している。ケース体４ｃの外部には、チューナモジュール基板の端子部５ｃが露出しており、ケース体４ｃの端部には、ネジ止め部６ｃが設けられている。チューナモジュール３ｄは、ケース体４ｄを有している。ケース体４ｄの外部には、チューナモジュール基板の端子部５ｄが露出しており、ケース体４ｄの端部には、ネジ止め部６ｄが設けられている。
【００１７】
受信基板７は、コネクタ７ａとＳｏＣ７ｂとを有している。コネクタ７ａとＳｏＣ７ｂとが図示しない回路パターンにより電気的に接続されている。例えば、基板の端子部５ａ、５ｂ、５ｃ及び５ｄの構成を共通化し、各端子部をコネクタ７ａに接続可能とする。これにより複数種類のチューナモジュールを共通の受信基板７に接続することができる。なお、コネクタ７ａに対する取り付けのみでは、半田付けによる取り付けに比べて取り付けの強度が不足するおそれがある。そこで、ネジ止め部６ａを使用してチューナモジュール３ａを受信基板７に対してネジ止めし、取り付けの強度を補うようにしている。他のチューナモジュール３ｂ等についても同様である。
【００１８】
以上の接続方法を用いることで、多くの利点が得られる。例えば、半田付け工程が不要になる。チューナモジュールの取り付けに用いられる半田付けの工程では、受信基板の穴部周辺に半田を印刷等で塗布した後に高温のリフロー炉を通過させる等の特別な設備が必要となる。しかしながら、本接続方法は、端子部をコネクタに挿入し、チューナモジュールを受信基板にネジ止めすればよく、簡便な方法である。
【００１９】
他の利点として複数のバリエーションの受信基板が不要になる点が挙げられる。すなわち、図１に例示したように３種類の受信基板を用いる必要がなくなり、図２に例示したように１つの受信基板に対して複数のチューナモジュールを取り付けることができる。このため、受信基板の開発の費用、時間、材料費等を大幅に節約できることができる。更に、開発時間及び製造設備が簡易化できることで、開発や製造に関わる人員に高いスキルが求められることもなく、また、施設・設備・工具が非常に簡便化できるので、ビジネスを遂行する上でのコストを削減することができる。
【００２０】
以上、本開示に関連する技術について説明した。これらの技術を踏まえ、本開示の実施形態について詳細に説明する。
【００２１】
「チューナモジュールの構成例」
図３は、本開示の第１の実施形態に係るチューナモジュール（チューナモジュール１０）を説明するための図である。チューナモジュール１０は、受信装置の一例であるテレビジョン装置に取り付けられる。テレビジョン装置は、背面側に、受信基板２０及び受信基板２０が取り付けられる金属シャーシ３０を有している。図３では、チューナモジュール１０がテレビジョン装置の受信基板２０及び金属シャーシ３０に取り付けられた状態が示されている。
【００２２】
チューナモジュール１０は、チューナ機能部が形成されたチューナモジュール基板１１と、チューナモジュール基板１１が収納され、シールドケースとしての機能を有するチューナケース１２（ケース体）を有する。
【００２３】
チューナケース１２は、略箱型の収容空間を持つ構造に形成され、上面部ＴＤ及び底面部ＤＤを有している。なお、上面部及び底面部との表現は説明の便宜上のものであり、上面部及び底面部がチューナモジュール１０の使用状態において、上方及び下方にそれぞれ位置する必要はない。チューナケース１２の上面部ＴＤは、チューナモジュール基板１１に実装されるＩＣ等の点検をし易くするようにその一部が開口とされている。
【００２４】
また、チューナケース１２は、略箱型の縁部に形成され、チューナモジュール基板１１とほぼ垂直な面を持つ側部ＳＤ１，ＳＤ２，ＳＤ３，ＳＤ４からなる略枠型の形状を有している。個々の側部ＳＤに対応する面において、チューナモジュールの種類等に応じて孔部や突起、係止片等が適宜、設けられていてもよい。
【００２５】
チューナモジュール１０は、チューナケース１２に固定され、中心電極（芯線）がチューナモジュール基板１１に接続されるアンテナコネクタ１３を有する。アンテナコネクタ１３は概略、円柱形状をしており、例えば側部ＳＤ１側の面に対してかしめ加工により接続されている。
【００２６】
側部ＳＤ２を構成する面には開口が形成されており、この開口を介して、チューナモジュール基板１１の一部が側部ＳＤ２側からチューナケース１２の外部に向かって露出している。チューナモジュール基板１１が露出する箇所の端部付近に形成された端子部がチューナケース１２の外部に位置している。この端子部が、図３に示すように受信基板２０に設けられたコネクタ２１に接続される。上述したように、チューナモジュール１０とは異なる他の種類のチューナモジュールも端子部を有しており、端子部がコネクタ２１に接続可能とされている。異なる種類のチューナモジュールの端子部を、共通のコネクタ（本例ではコネクタ２１）に接続できる構成により得られる利点については上述した通りである。
【００２７】
チューナモジュール１０は、第１板状部１４と第２板状部１５とを有している。第１板状部１４は、例えば、側部ＳＤ１と反対側の側部ＳＤ３側からチューナケース１２の外部に向かって延在している。第１板状部１４は、例えば、側部ＳＤ３を構成する面を略９０度折り曲げることにより形成される。第１板状部１４は、螺合部材の一例であるネジが挿入される孔部１４ａを有している。
【００２８】
第２板状部１５は、例えば、側部ＳＤ１を構成する面の一部を略９０度折り曲げることにより形成されており、チューナモジュール基板１１の端子部近傍に配置されている。第２板状部１５は、ネジが挿入される孔部１５ａを有している。チューナケース１２を構成する上面部ＴＤ、底面部ＤＤ、側部ＳＤ１〜ＳＤ４、第１板状部１４及び第２板状部１５は、例えば、１つの板状の金属をプレス加工することにより形成される。
【００２９】
受信基板２０及び金属シャーシ３０には、孔部１４ａ、１５ａに対応してネジが挿入される孔部が形成されている。例えば、孔部１５ａ、受信基板２０に形成されている孔部１５ａに対応する孔部及び金属シャーシ３０に形成されている孔部１５ａに対応する孔部にネジが螺合され、チューナケース１２が受信基板２０及び金属シャーシ３０にネジ止めされる。このネジ止めは、上述したように、コネクタ接続の強度を補うためのネジ止めである。
【００３０】
一方、孔部１４ａ及び金属シャーシ３０に形成されている孔部１４ａに対応する孔部にネジが螺合され、チューナケース１２が金属シャーシ３０に直接ネジ止めされる。ネジ止めは、例えば人手により行われるが、機械により自動で行われてもよい。なお、本実施形態では、孔部１４ａ、１５ａに対して挿入される螺合部材は、共通（同一の形状）した螺合部材としている。これにより、螺合部材の選択ミスに起因してチューナモジュール１０の取り付けに不具合が生じてしまうことを防止することができる。
【００３１】
チューナケース１２が金属シャーシ３０に直接ネジ止めされることで機械的な固定と、グランド電位との電気的な接触とが行われる。機械的な固定についてはアンテナコネクタ１３を正確に位置決めするために重要である。また、テレビジョン装置の金属シャーシ３０は装置内で最も大きい金属部品である。このため、電気的に一様な電位を持つ安定した基準電位とすることができるので、通常、金属シャーシ３０はグランド電位に接続される。金属シャーシ３０に直接、ネジ止めされ接触するチューナケース１２がチューナモジュール１０の回路におけるグランド電位を取るように設計されることにより、チューナモジュール１０の回路をテレビジョン装置の基準電位と共通のグランド電位をもって動作させることができる。
【００３２】
「取り付け不良に伴う影響について」
ここで、チューナケース１２が金属シャーシ３０に適切に取り付けられていない取り付け不良の影響について説明する。金属シャーシ３０に対するチューナケース１２のネジ止めによる接続が不安定な場合には、チューナモジュール１０の回路におけるグランド電位と、テレビジョン装置の回路におけるグランド電位とが異なるおそれがある。グランド電位が異なる場合、その電位差がノイズとしてテレビジョン装置やチューナモジュール１０の回路に悪影響を及ぼしたり、不要な輻射ノイズを発生させる原因となる。
【００３３】
このような取り付け不良が生じる原因の一つを図４Ａ及び図４Ｂを参照して説明する。第２板状部１５は、受信基板２０及び金属シャーシ３０に取り付けられる。これに対して、第１板状部１４は、金属シャーシ３０のみに取り付けられる。この段差を吸収するため、孔部１４ａの周縁にエンボス部４１が設けられている。エンボス部４１は、第１板状部１４の底面（取り付け状態において金属シャーシ３０側となる面）から上面に向かって凸となっており、その形状は、通常、図４Ａに示すような円周状である。
【００３４】
図４Ｂは、螺合部材５０によりチューナケース１２が金属シャーシ３０に取り付けられた状態を示す断面図である。本例における螺合部材５０は、ネジ５１と、スプリングワッシャー５２と、ワッシャー５３とを含むものである。本実施形態におけるネジ５１としてはＭ３と呼ばれる規格に対応した大きさのネジを使用する。スプリングワッシャー５２及びワッシャー５３を、ワッシャー５３を第１板状部１４側にしてネジ５１が螺合される。スプリングワッシャー５２でネジ５１とワッシャー５３による接触圧を均一化し、ワッシャー５３により孔部１４ａと金属シャーシ３０の孔部３１との間の位置ずれを吸収する。金属シャーシ３０には、厚みを確保してネジ山を形成するためのバーリング加工が施されることでバーリング部３２が形成されている。
【００３５】
図４Ｂに示すように、第１板状部１４と金属シャーシ３０とが接触する接触部分は、孔部１４ａの外周に設けられたエンボス部４１の更に外周部分になる。このため、ネジ５１を螺合する際に作用する上向きの力によりバーリング部３２がネジ５１のネジ山に引っ張られてしまい、金属シャーシ３０の一部が上方に塑性変形してしまう。塑性変形してしまった金属シャーシ３０のバーリング部３２ではネジ山に斜め方向の応力が掛かり、孔部１４ａの直径が大きくなったり、ネジ山がつぶれてネジ５１が抜けてしまったりする不具合が生じる。
【００３６】
また、ネジ５１は金属シャーシ３０の孔部３１に固定されるので、金属シャーシ３０及びチューナケース１２のそれぞれの寸法公差、製造のばらつき等を考慮して孔部３１の直径に比べて孔部１４ａの直径は大きく作られている。このため、第１板状部１４と金属シャーシ３０との接触面積が小さくなり易い中で、円周状のエンボス部４１により更に接触面積が小さくなるため、金属シャーシ３０の変形を抑制する力が作用しづらくなり金属シャーシ３０が変形してしまうおそれが高くなる。
【００３７】
「本実施形態に係るエンボス部について」
図５Ａ及び図５Ｂは、本実施形態に係るチューナモジュールにおけるエンボス部（エンボス部４２）を説明するための図である。図５Ａは、エンボス部４２の構成例を説明するための斜視図であり、図５Ｂは、エンボス部４２の構成例を説明するための上面図である。本実施形態に係るエンボス部４２は、第１板状部１４の孔部１４ａの周縁部に複数の突部が離隔して設けられた構成を有している。例えば、図５Ａに示すように、エンボス部４２は、５つの突部（突部４２ａ〜突部４２ｅ）が円周状に（円周上に沿って）設けられた花形の形状を成している。５つの突部４２ａ〜突部４２ｅは、第１板状部１４の底面（取り付け状態において金属シャーシ３０側となる面）から上面に向かって凸となっている。
【００３８】
図６Ａ及び図６Ｂは、図５Ｂにおける切断線ＸＸ−ＸＸで切断した場合の断面を示す断面図である。本例における螺合部材としては、上述した螺合部材と同様に、ネジ５１と、スプリングワッシャー５２と、ワッシャー５３とを含むものを使用している。図６Ｂに示すように、エンボス部４２の突部４２ａ〜４２ｅがワッシャー５３に当接し、ネジ５１の螺合時の応力（矢印方向ＡＡに向かう方向の力）と下向きの応力（矢印方向ＢＢに向かう方向の力）が均衡する。
【００３９】
ここで、本実施形態に係るエンボス部４２とワッシャー５３とが接触する面積は、円周の全周にわたる突部からなるエンボス部４１とワッシャー５３とが接触する面積に比べて小さくなる。換言すれば、第１板状部１４と金属シャーシ３０とが接触する面積が増加する。例えば、図６Ａに示すように、例えば突部４２ｃと突部４２ｄとの間に位置する平坦部４３が金属シャーシ３０と接触する。他の突部間の平坦部についても同様である。これらの平坦部の面積分、第１板状部１４と金属シャーシ３０とが接触する面積が増加する。第１板状部１４と金属シャーシ３０とが接触する面積が増加することにより、ネジ５１を螺合させる際に働く金属シャーシ３０が上側に持ち上げられる力に対して抗する力（図６Ｂ中矢印ＣＣに向かう方向の力）が大きくなる。したがって、金属シャーシ３０の変形を防止することができる。
【００４０】
ネジ５１の着脱を行った場合でも金属シャーシ３０などの変形が無くなるので、異なる種類（形状）のチューナモジュールの取替えが容易となる。例えば、チューナモジュールが不良品であった場合でも簡単に交換ができるので、商品のサービス性を向上させることができる。また、設計段階でのチューナモジュールの交換も容易となるため、開発工数の短縮化を実現することができる。
【００４１】
ところで、金属シャーシ３０の孔部３１の中心と第１板状部１４の孔部１４ａの中心とがずれる場合がある。このずれは、一般にチューナケース１２の公差及びチューナモジュール基板とチューナケース１２の製造公差などに起因して生じる。特に異なるサイズのチューナモジュールを同一の受信基板に接続する態様を想定する場合には、孔部１４ａの大きさが一定程度、必要になる。
【００４２】
このように、金属シャーシ３０の孔部３１の中心と第１板状部１４の孔部１４ａの中心とがずれる場合でも、ネジ５１を確実に取り付けられる。図７Ａは、金属シャーシ３０の孔部３１の中心と第１板状部１４の孔部１４ａの中心とがずれた状態でネジ５１が螺合された状態を示す図であり、図７Ｂは、図７Ａにおける切断線ＸＸ１−ＸＸ１で切断した場合の断面を示す図である。
【００４３】
図７Ａに示すように、金属シャーシ３０の孔部３１の中心と第１板状部１４の孔部１４ａの中心とがずれた状態でネジ５１が螺合された場合でも、ワッシャー５３が３点の支持ポイント（突部４２ａ、突部４２ｂ及び突部４２ｅ）で支持されている。更に、図７Ｂで示すように、ネジ５１が取り付けられた状態でワッシャー５３が略水平な状態を維持することができる。略水平な状態とは、水平な状態若しくは水平な状態からネジ５１の着脱に支障がない程度、ワッシャー５３が僅かに傾いている状態を意味する。この状態を維持することができれば、ワッシャー５３の傾きに起因してネジ５１の取り付け不良が生じてしまうことを防止することができる。
【００４４】
図８及び図９に示すように、ネジ５１が螺合される箇所は、様々な方向にずれる可能性がある。図８は、ネジ５１が螺合される箇所が図面に向かって上側にずれた例を示す図であり、図９は、ネジ５１が螺合される箇所が図面に向かって下側にずれた例を示す図である。ネジ５１が螺合される箇所がいずれの方向にずれた場合でも３点以上の突部によりワッシャー５３を支持でき、ワッシャー５３が略水平となる状態を維持できる。
【００４５】
「第１の実施形態の変形例」
以上説明した第１の実施形態は、種々の変更が可能である。以下、第１の実施形態の変形例について説明する。
【００４６】
エンボス部４２の構成は、適宜、変更可能である。エンボス部４２は、例えば、図１０Ａに示すように、孔部１４ａの周縁部に矩形状に設けられた４つの突部（突部４４ａ〜４４ｄ）でもよい。また、エンボス部４２は、図１０Ｂに示すように、孔部１４ａの周縁部に錐台（例えば四角錐台）状に設けられた３つの突部（突部４５ａ〜４５ｃ）でもよい。すなわち、エンボス部４２は、エンボス部４１の構成に比べて第１板状部１４と金属シャーシ３０との接触面積を所定以上増加することができ、且つ、ネジ５１を螺合させた状態でワッシャー５３が略水平な状態になれば、適宜な形状を適用することができる。また、突部の形状に応じてワッシャー５３の大きさを変えることも可能である。
【００４７】
また、各突部は、孔部１４ａの周縁に接していなくてもよい。孔部１４ａの周縁部とは、孔部１４ａの周縁及びワッシャー５３と接触する範囲で孔部１４ａの周縁に近接する箇所を含む意味である。
【００４８】
チューナモジュール１０におけるアンテナコネクタの数は適宜、変更することができる。例えば、図１１Ａに示すようにチューナモジュール１０のアンテナコネクタを２つのアンテナコネクタ１３ａ、１３ｂとしてもよいし、図１１Ｂに示すようにチューナモジュール１０のアンテナコネクタを３つのアンテナコネクタ１３ｃ、１３ｄ、１３ｅとしてもよい。また、チューナケース１２の大きさが大きくなる場合には、図１１Ｂに示すように、チューナケース１２の内側に第１板状部１４を設けてもよい。例えば、チューナケース１２内において側部ＳＤ２及び側部ＳＤ４を連結する連結部６１を設け、連結部６１から第１板状部１４が延在してチューナケース１２内に位置する構成でもよい。
【００４９】
「効果」
本開示の第１の実施形態では、例えば、以下の効果が得られる。本実施形態によるネジ止め機構を用いたチューナモジュールを用いれば、金属シャーシの変形等に伴ってネジの固定部分が破壊されてしまうことを防止することができる。したがって、ネジの着脱を繰り返し行えるようになる。したがって、取り付け構造を共通にした複数タイプのチューナモジュールを容易に取替えることが可能となる。これにより、テレビジョン装置のバリエーションの変更が極めて容易になる。また、チューナモジュールの取り付けや交換の際に半田付けの工程が不要となるため、作業に係る費用、設備、工具の簡便化という効果が得られる。
【００５０】
また、チューナモジュールは複数の回路を内蔵しているので、一般的に消費電力が大きくなり発熱する。しかしながら、本実施形態に係るチューナモジュールは、チューナケースを金属シャーシに直接固定する構成としたので、チューナモジュールを効率的に冷却することが可能となる。更に、チューナモジュールの電子回路の一部である、例えば選局用の局部発信器が発する発信信号の高調波が高周波ノイズとなるものの、その近傍にある金属シャーシとの接触点がグランドポイントとなって当該高周波ノイズを吸収し、不要輻射を低減することも可能となる。
【００５１】
＜２．第２の実施形態＞
次に、第２の実施形態について説明する。なお、特に断らない限り、第１の実施形態で説明した事項は第２の実施形態に適用することができる。
【００５２】
アンテナの出力をテレビジョン受像機、パーソナルコンピュータ等の内部のチューナに供給するために使用され、同軸ケーブルの一端が接続される同軸コネクタとしてＦ型コネクタが知られている。Ｆ型コネクタは、主に日本や北米地域で使用されている。一方で、ヨーロッパ、東南アジア諸国、中東地域、アフリカでは、同軸コネクタとして主にＩＥＣ(International Electrotechnical Commission)コネクタと呼ばれる同軸コネクタが使用されている。第１の実施形態におけるチューナモジュール１０のアンテナコネクタとして、Ｆ型コネクタまたはＩＥＣコネクタを適用することができる。アンテナコネクタとして、Ｆ型コネクタ及びＩＥＣコネクタを適用してもよい。例えば、チューナモジュール１０が３つのアンテナコネクタを有する構成とし、そのうち２つのアンテナコネクタをＦ型コネクタとし、残りの１つのアンテナコネクタをＩＥＣコネクタとすることができる。
【００５３】
「一般的なＩＥＣコネクタの構成例」
図１２は、一般的なＩＥＣコネクタの内部構成例を示す断面図である。一般的なＩＥＣコネクタ１００は、筒状の金属シェル１０１と、金属シェル１０１の内側に組み込まれる筒状の外部電極１０２と、内部電極（芯線）１０３と、外部電極１０２と内部電極１０３とを絶縁する絶縁体としての絶縁部１０４とを有している。金属シェル１０１をかしめることで形成されるかしめ部１０１ａにより、絶縁部１０４が金属シェル１０１内に支持される。絶縁部１０４内には、内部電極１０３を収容する空間が形成されており、この空間に内部電極１０３が圧入されて固定される。内部電極１０３の一部が金属シェル１０１の外部に導出されている。
【００５４】
上述したように絶縁部１０４は、金属シェル１０１のかしめ部１０１ａにより固定されている。ところでこの絶縁部１０４は、熱等の影響により収縮する。絶縁部１０４の収縮に伴いかしめ部１０１ａによる固定が緩くなり外部振動の影響で絶縁部１０４が振動する。外部振動としては、例えば、テレビジョン装置のスピーカから大音量が出力されたときのスピーカの振動が挙げられる。絶縁部１０４が振動することで、絶縁部１０４が金属シェル１０１とあたり異音が発生する。したがって、絶縁部１０４の振動を抑制し、異音の発生を低減することが望まれている。
【００５５】
「本実施形態におけるＩＥＣコネクタの構成例」
図１３〜図１５を参照して、第２の実施形態に係るＩＥＣコネクタ（ＩＥＣコネクタ１１０）について説明する。図１３は、第２の実施形態に係るＩＥＣコネクタ１１０の内部構成例を示す断面図である。図１４は、第２の実施形態に係るＩＥＣコネクタ１１０の構成例を説明するための分解図である。図１５は、ＩＥＣコネクタ１１０の内部構成の一部を拡大して示した部分拡大図である。
【００５６】
ＩＥＣコネクタ１１０の基本的な構成は、上述したＩＥＣコネクタ１００と同じである。すなわち、ＩＥＣコネクタ１１０は、外部ケースとして筒状の金属シェル１１１と、金属シェル１１１の内側に組み込まれる筒状の外部電極１１２（第１の電極）と、内部電極１１３（第２の電極）と、外部電極１１２と内部電極１１３とを絶縁する絶縁体としての絶縁部１１４とを有し、所謂４ピース構造と称される構造を有している。金属シェル１１１をかしめることで形成されるかしめ部１１１ａにより、絶縁部１１４が金属シェル１１１内に支持される。かしめ部１１１ａに対応して絶縁部１１４にはかしめ部１１４ａが形成されている。絶縁部１１４内には、内部電極１１３を収容する空間が形成されており、この空間に内部電極１１３が圧入されて固定される。内部電極１１３の一部が金属シェル１１１の外部に導出されている。絶縁部１１４は、例えば樹脂により構成されている。
【００５７】
図１４に示すように、外部電極１１２は、筒状であり中空の基部１１２ａを有している。基部１１２ａは、内部空間の中央付近がやや狭くなるようにやや湾曲した形状を有している。基部１１２ａの周面における中央付近には、複数の長穴１１２ｂが形成されている。外部電極１１２の端部（かしめ部１１１ａ側に位置する端部）には、内側に向かってやや屈曲し、弾性変形可能な弾性片１１２ｃが形成されている。例えば、外部電極１１２の円周状の端部に沿って略等間隔に複数（例えば、３〜５つ）の弾性片１１２ｃが形成されている。
【００５８】
絶縁部１１４の外部電極１１２内への挿入時には弾性片１１２ｃがやや外側に弾性変形し、基部１１２ａの一方の開放端が拡開された状態で絶縁部１１４が挿入される。絶縁部１１４は上述したように金属シェル１１１のかしめ部１１１ａにより固定される。更に、弾性片１１２ｃの内側に向かう復元力により、図１５に示すように、絶縁部１１４は複数の弾性片１１２ｃにより支持（固定）される。したがって、かしめ部１１１ａによる固定の強度が金属シェル１１１や絶縁部１１４の変形により低下した場合でも、絶縁部１１４が複数の弾性片１１２ｃにより所定位置で支持（挟持）された状態を維持できる。このため、絶縁部１１４と金属シェル１１１とが接触することによる異音の発生を防止することができる。以上説明した第２の実施形態に係るＩＥＣソケットを、第１の実施形態で説明したチューナモジュールのアンテナコネクタとして適用することができる。
【００５９】
＜３．変形例＞
以上、本開示の実施形態について具体的に説明したが、本開示は、上述の実施形態に限定されるものではなく、本開示の技術的思想に基づく各種の変形が可能である。本発明は、第１及び第２の実施形態におけるチューナモジュールを有するテレビジョン装置等の受信装置として構成することも可能である。また、上述の実施の形態において挙げた構成、方法、工程、形状、材料及び数値などはあくまでも例に過ぎず、必要に応じてこれと異なる構成、方法、工程、形状、材料及び数値などを用いてもよい。上述した実施形態及び変形例は、適宜組み合わせることができる。
【００６０】
本開示は、以下の構成も採ることができる。
（１）
チューナ機能部が形成されたチューナモジュール基板が収納されるケース体と、
前記ケース体に固定され、中心電極の端子部が前記チューナモジュール基板に接続される少なくとも１つのアンテナコネクタと
を有し、
前記ケース体は、螺合部材が挿入される孔部が形成された板状部を有し、
前記孔部の周縁部に複数の突部が離隔して設けられている
チューナモジュール。
（２）
前記螺合部材により、前記ケース体が受信装置の金属シャーシに取り付けられるように構成される
（１）に記載のチューナモジュール。
（３）
前記複数の突部が円周状または矩形状に設けられている
（１）または（２）に記載のチューナモジュール。
（４）
５つの前記突部が円周状に設けられている
（３）に記載のチューナモジュール。
（５）
前記ケース体は、上面部、底面部及び第１〜第４の側部を有する
（１）〜（４）のいずれかに記載のチューナモジュール。
（６）
前記第１の側部に前記アンテナコネクタが接続され、
前記第１の側部とは反対側の第３の側部側から、前記ケース体の外部に向かう方向に前記板状部が延在する
（５）に記載のチューナモジュール。
（７）
前記ケース体の内側に前記板状部が設けられている
（５）の記載のチューナモジュール。
（８）
前記チューナモジュール基板の端子部が前記第２の側部側から前記ケース体の外側に向かって露出する
（５）〜（７）のいずれかに記載のチューナモジュール。
（９）
前記ケース体は、前記螺合部材と共通の螺合部材が取り付け可能とされた孔部を有する他の板状部を有する
（１）〜（８）のいずれかに記載のチューナモジュール。
（１０）
前記ケース体に接続される前記アンテナコネクタの数が１〜３のいずれかである
（１）〜（９）のいずれかに記載のチューナモジュール。
（１１）
前記アンテナコネクタは、筒状の外部ケースと、前記外部ケースの内部に組み込まれている筒状の第１の電極と、前記第１の電極内に配される第２の電極と、前記第２の電極を支持するとともに、前記第１の電極と前記第２の電極とを絶縁する絶縁部とを有し、
前記絶縁体は、前記外部ケースと、前記第１の電極の一端側に設けられた複数の弾性片とにより支持される
（１）〜（１０）のいずれかに記載のチューナモジュール。
（１２）
（１）〜（１１）のいずれかに記載のチューナモジュールと、前記チューナモジュールが前記螺合部材により取り付けられた金属シャーシと、前記チューナモジュール基板が接続される基板とを有する受信装置。
（１３）
前記金属シャーシと前記板状部とが接触する面積が、円周状に形成された突部に比べて大きくなるように前記複数の突部が形成され、且つ、前記螺合部材に含まれるワッシャー部が前記複数の突部により略水平に支持される
（１２）に記載の受信装置。
【符号の説明】
【００６１】
１０・・・チューナモジュール、１１・・・チューナモジュール基板、１２・・・チューナケース、１３・・・アンテナコネクタ、１４・・・第１板状部、１４ａ・・・孔部、１５・・・第２板状部、１５ａ・・・孔部、２０・・・受信基板、３０・・・金属シャーシ、４２・・・エンボス部、４２ａ〜４２ｅ・・・突部、１１０・・・ＩＥＣコネクタ、１１１・・・金属シェル、１１２・・・外部電極、１１３・・・内部電極、１１４・・・絶縁部、ＴＤ・・・上面部、ＤＤ・・・底面部、ＳＤ１〜ＳＤ４・・・側部
【図１】
2018163588.tif 000003
【図２】
2018163588.tif 000004
【図３】
2018163588.tif 000005
【図４】
2018163588.tif 000006
【図５】
2018163588.tif 000007
【図６】
2018163588.tif 000008
【図７】
2018163588.tif 000009
【図８】
2018163588.tif 000010
【図９】
2018163588.tif 000011
【図１０】
2018163588.tif 000012
【図１１】
2018163588.tif 000013
【図１２】
2018163588.tif 000014
【図１３】
2018163588.tif 000015
【図１４】
2018163588.tif 000016
【図１５】
2018163588.tif 000017
【国際調査報告】
2018163588.tif 000018
2018163588.tif 000019
2018163588.tif 000020
2018163588.tif 000021